(57)【特許請求の範囲】
【請求項１】
既存の電話サービス（ＰＯＴＳ）を提供する交換機に接続された第１の加入者線と、高速データ通信サービスを提供するｘＤＳＬ多重装置に接続された第２の加入者線とがスプリッタ回路部で結合されて共通の第３の加入者線を介して加入者に接続されたｘＤＳＬ通信システムの、前記第３の加入者線を試験する回線試験方法において、
前記ｘＤＳＬ多重装置を構成する複数のｘＤＳＬ加入者回路のうち、一のｘＤＳＬ加入者回路の収容位置情報を保守端末により指定して回線試験の実行を指示する第１のステップと、
前記交換機内のＰＯＴＳ加入者装置を構成する複数のＰＯＴＳ加入者回路のうち、前記回線試験の実行指示により、前記収容位置情報が指定された一のｘＤＳＬ加入者回路と共に同一の前記第３の加入者線に、前記第１の加入者線を介して接続される一の相関するＰＯＴＳ加入者回路の回線を閉塞し、かつ、前記第１の加入者線と前記交換機内の試験装置とを接続する第２のステップと、
前記第２のステップによる接続後に前記試験装置による回線試験を実行させる第３のステップと、
前記試験装置による回線試験結果を、前記収容位置情報が指定された一のｘＤＳＬ加入者回路を使用した回線試験結果として出力する第４のステップと
を含むことを特徴とする回線試験方法。
【請求項２】
前記交換機内において、前記複数のＰＯＴＳ加入者回路のそれぞれについて、前記第１の加入者線を介して前記第３の加入者線に接続されるときに前記複数のｘＤＳＬ加入者回路のうちのどのｘＤＳＬ加入者回路が前記第２の加入者線を介して前記第３の加入者線に接続されるかを示す変換テーブルを予め有しており、この変換テーブルを用いて前記第２のステップによる接続動作を行うことを特徴とする請求項１記載の回線試験方法。
【請求項３】
前記ｘＤＳＬ通信システムは、前記交換機内のＰＯＴＳ加入者装置を構成する複数のＰＯＴＳ加入者回路のうちのｉ番目のＰＯＴＳ加入者回路と、前記ｘＤＳＬ多重装置を構成する複数のｘＤＳＬ加入者回路のうちの同じｉ番目のｘＤＳＬ加入者回路とが前記第３の加入者線に接続されるような、相対的な関係の収容条件を持つシステムであり、前記交換機内において、前記ＰＯＴＳ加入者回路の収容位置と前記ｘＤＳＬ加入者回路の収容位置との変換を前記収容条件に従って変換する仮想変換テーブルを予め有しており、この仮想変換テーブルを用いて前記第２のステップによる接続動作を行うことを特徴とする請求項１記載の回線試験方法。
【請求項４】
既存の電話サービス（ＰＯＴＳ）を提供する交換機内のＰＯＴＳ加入者装置を構成する複数のＰＯＴＳ加入者回路のうち一のＰＯＴＳ加入者回路に接続された第１の加入者線と、高速データ通信サービスを提供するｘＤＳＬ多重装置を構成する複数のｘＤＳＬ多重装置のうちの一のｘＤＳＬ多重装置に接続された第２の加入者線とがスプリッタ回路部で結合されて共通の第３の加入者線を介して加入者に接続されたｘＤＳＬ通信システムの、前記第３の加入者線を試験する回線試験システムにおいて、
前記交換機は、
回線試験のコマンド入力及び試験結果の表示を少なくとも行う保守端末と、
回線試験時に、前記ｘＤＳＬ加入者回路と前記ＰＯＴＳ加入者回路との収容位置変換を行う変換テーブルを備えた制御部と、
前記制御部に制御線を介して接続され、前記制御部からの指示により、通話路制御線に接続された前記ＰＯＴＳ加入者回路の制御及び呼処理を実行する交換スイッチ機能部と、
前記第３の加入者線の試験を行うための試験装置と、
前記制御部の指示により、前記第１の加入者線と前記通話路制御線との間又は、前記第１の加入者線と前記試験装置に接続された試験線との間を接続する前記ＰＯＴＳ加入者回路を収容するＰＯＴＳ加入者装置と
を有し、前記保守端末により一のｘＤＳＬ加入者回路の収容位置情報を指定して回線試験の実行を指示すると、前記制御部が、前記収容位置情報が指定された一のｘＤＳＬ加入者回路の収容位置指定情報に基づき、前記変換テーブルを用いて前記一のｘＤＳＬ加入者回路と相関するＰＯＴＳ加入者回路の収容位置情報を抽出し、その相関するＰＯＴＳ加入者回路により前記第１の加入者線と前記試験線とを接続するように制御して前記試験装置による回線試験を実行させ、前記試験装置による回線試験結果を、前記収容位置情報が指定された一のｘＤＳＬ加入者回路を使用した回線試験結果として前記保守端末へ出力することを特徴とする回線試験システム。
【請求項５】
前記制御部が備える前記変換テーブルは、前記複数のＰＯＴＳ加入者回路のそれぞれの収容位置情報を示す第１のデータテーブルと、前記複数のｘＤＳＬ加入者回路のそれぞれの収容位置情報を示す第２のデータテーブルと、前記第１のデータテーブルと第２のデータテーブルとの相関関係の変換を行う変換用テーブルとからなることを特徴とする請求項４記載の回線試験システム。
【請求項６】
前記ｘＤＳＬ通信システムは、前記交換機内のＰＯＴＳ加入者装置を構成する複数のＰＯＴＳ加入者回路のうちのｉ番目のＰＯＴＳ加入者回路と、前記ｘＤＳＬ多重装置を構成する複数のｘＤＳＬ加入者回路のうちの同じｉ番目のｘＤＳＬ加入者回路とが前記第３の加入者線に接続されるような、相対的な関係の収容条件を持つシステムであり、前記制御部が備える前記変換テーブルは、前記ＰＯＴＳ加入者回路の収容位置と前記ｘＤＳＬ加入者回路の収容位置との変換を前記収容条件に従って変換する仮想変換テーブルであることを特徴とする請求項４記載の回線試験システム。
【発明の詳細な説明】
【０００１】
【発明の属する技術分野】
本発明は回線試験方法及び回線試験システムに係り、特に同一加入者線を使用しているｘＤＳＬ（ｘ−Ｄｉｇｉｔａｌ  Ｓｕｂｓｃｒｉｂｅｒ  Ｌｉｎｅ）加入者の回線試験を交換機側から行う回線試験方法及び回線試験システムに関する。
【０００２】
【従来の技術】
従来より、撚り対線（ツイストペア）からなる電話回線を利用して、既存の電話サービスはそのままで、高速データ通信サービスを実現する新たな通信システムとしてｘＤＳＬ通信システムが知られている。このｘＤＳＬ通信システムには、一対の電話回線でＩＳＤＮ（サービス統合ディジタル網）の伝送を実現するＩＤＳＬ（ＩＳＤＮ  ｄｉｇｉｔａｌ  ｓｕｂｓｃｒｉｂｅｒ  ｌｉｎｅ）、一対の電話回線を利用して電話局から家庭までの下り方向で１．５Ｍｂｐｓ〜６Ｍｂｐｓ程度、上り方向で１６ｋｂｐｓ〜１Ｍｂｐｓ程度の非対称速度の通信を行うＡＤＳＬ（ａｓｙｍｍｅｔｒｉｃ  ｄｉｇｉｔａｌ  ｓｕｂｓｃｒｉｂｅｒ  ｌｉｎｅ）、ＡＤＳＬよりも更に高速の通信を実現するＶＤＳＬ（ｖｅｒｙ  ｈｉｇｈ  ｂｉｔ  ｒａｔｅ  ｄｉｇｉｔａｌ  ｓｕｂｓｃｒｉｂｅｒ  ｌｉｎｅ）その他各種の技術がある。
【０００３】
このｘＤＳＬ通信システムでは交換機からの加入者線とｘＤＳＬ加入者収容設備からの加入者線とはスプリッタ回路部で結合されて同一のライン（加入者線）に接続される。そして、音声帯域の信号は上記の共通のライン及びスプリッタ回路部を介して交換機との間で送受信され、音声帯域よりも高周波数帯域のデータ信号は上記の共通のライン及びスプリッタ回路部を介してｘＤＳＬ加入者収容設備との間で送受信される。
【０００４】
【発明が解決しようとする課題】
しかるに、上記のｘＤＳＬ通信システムにおける交換機とｘＤＳＬ加入者収容設備は同一ラインを使用しているにも拘らず、従来の回線試験方法及び回線試験システムでは、回線試験装置を交換機とｘＤＳＬ加入者収容設備の各々に独立に設け、他方の信号の伝送を停止した状態で試験を別々に実施している。このため、小規模のｘＤＳＬ収容システムでも付随する試験装置が必要となり、経済性の悪いシステムとなる問題がある。
【０００５】
本発明は以上の点に鑑みなされたもので、ＰＯＴＳ側交換設備の試験装置のみでｘＤＳＬ加入者の加入者線試験も行い得る回線試験方法及び回線試験システムを提供することを目的とする。
【０００６】
また、本発明の他の目的は、加入者線試験実行時の保守者の作業を軽減し得る回線試験方法及び回線試験システムを提供することにある。
【０００７】
【課題を解決するための手段】
本発明回線試験方法は上記の目的を達成するため、既存の電話サービス（ＰＯＴＳ）を提供する交換機に接続された第１の加入者線と、高速データ通信サービスを提供するｘＤＳＬ多重装置に接続された第２の加入者線とがスプリッタ回路部で結合されて共通の第３の加入者線を介して加入者に接続されたｘＤＳＬ通信システムの、第３の加入者線を試験する回線試験方法において、ｘＤＳＬ多重装置を構成する複数のｘＤＳＬ加入者回路のうち、一のｘＤＳＬ加入者回路の収容位置情報を保守端末により指定して回線試験の実行を指示する第１のステップと、交換機内のＰＯＴＳ加入者装置を構成する複数のＰＯＴＳ加入者回路のうち、回線試験の実行指示により、収容位置情報が指定された一のｘＤＳＬ加入者回路と共に同一の第３の加入者線に、第１の加入者線を介して接続される一の相関するＰＯＴＳ加入者回路の回線を閉塞し、かつ、第１の加入者線と交換機内の試験装置とを接続する第２のステップと、第２のステップによる接続後に試験装置による回線試験を実行させる第３のステップと、試験装置による回線試験結果を、収容位置情報が指定された一のｘＤＳＬ加入者回路を使用した回線試験結果として出力する第４のステップとを含むことを特徴とする。
【０００８】
この発明では、第２のステップにより、収容位置情報が指定された一のｘＤＳＬ加入者回路と共に同一の第３の加入者線に、第１の加入者線を介して接続される一の相関するＰＯＴＳ加入者回路の回線を閉塞し、かつ、第１の加入者線と交換機内の試験装置とを接続し、第３のステップにより交換機内の試験装置を使用して収容位置情報が指定された一のｘＤＳＬ加入者回路を使用した回線試験ができる。
【０００９】
また、本発明回線試験システムは上記の目的を達成するため、既存の電話サービス（ＰＯＴＳ）を提供する交換機内のＰＯＴＳ加入者装置を構成する複数のＰＯＴＳ加入者回路のうち一のＰＯＴＳ加入者回路に接続された第１の加入者線と、高速データ通信サービスを提供するｘＤＳＬ多重装置を構成する複数のｘＤＳＬ多重装置のうちの一のｘＤＳＬ多重装置に接続された第２の加入者線とがスプリッタ回路部で結合されて共通の第３の加入者線を介して加入者に接続されたｘＤＳＬ通信システムの、第３の加入者線を試験する回線試験システムにおいて、交換機は、回線試験のコマンド入力及び試験結果の表示を少なくとも行う保守端末と、回線試験時に、ｘＤＳＬ加入者回路とＰＯＴＳ加入者回路との収容位置変換を行う変換テーブルを備えた制御部と、制御部に制御線を介して接続され、制御部からの指示により、通話路制御線に接続されたＰＯＴＳ加入者回路の制御及び呼処理を実行する交換スイッチ機能部と、第３の加入者線の試験を行うための試験装置と、制御部の指示により、第１の加入者線と通話路制御線との間又は、第１の加入者線と試験装置に接続された試験線との間を接続するＰＯＴＳ加入者回路を収容するＰＯＴＳ加入者装置とを有する構成としたものである。
【００１０】
この発明では、保守端末により一のｘＤＳＬ加入者回路の収容位置情報を指定して回線試験の実行を指示すると、制御部が、収容位置情報が指定された一のｘＤＳＬ加入者回路の収容位置指定情報に基づき、変換テーブルを用いて一のｘＤＳＬ加入者回路と相関するＰＯＴＳ加入者回路の収容位置情報を抽出し、その相関するＰＯＴＳ加入者回路により第１の加入者線と試験線とを接続するように制御して試験装置による回線試験を実行させ、試験装置による回線試験結果を、収容位置情報が指定された一のｘＤＳＬ加入者回路を使用した回線試験結果として保守端末へ出力する。
【００１１】
これにより、この発明では、交換機内の試験装置を使用して収容位置情報が指定された一のｘＤＳＬ加入者回路を使用した回線試験結果を得ることができる。また、この発明では、交換機内の制御部が、ｘＤＳＬ加入者回路とＰＯＴＳ加入者回路との収容位置変換を行う変換テーブルを備えているため、交換機内の保守端末だけで加入者線試験ができる。
【００１２】
ここで、ｘＤＳＬ通信システムが、交換機内のＰＯＴＳ加入者装置を構成する複数のＰＯＴＳ加入者回路のうちのｉ番目のＰＯＴＳ加入者回路と、ｘＤＳＬ多重装置を構成する複数のｘＤＳＬ加入者回路のうちの同じｉ番目のｘＤＳＬ加入者回路とが第３の加入者線に接続されるような、相対的な関係の収容条件を持つシステムである場合は、制御部が備える変換テーブルは、ＰＯＴＳ加入者回路の収容位置とｘＤＳＬ加入者回路の収容位置との変換を収容条件に従って変換する仮想変換テーブルとすることが、変換テーブルの簡素化の点から好ましい。
【００１３】
【発明の実施の形態】
次に、本発明の実施の形態について図面と共に説明する。図１は本発明になる回線試験方法及び回線試験システムの第１の実施の形態のシステム構成図を示す。同図中、交換機の制御部１は、保守端末４と接続され交換機の保守作業とｘＤＳＬの回線試験のコマンド入力、出力表示を行っている。また、制御部１は既存の電話サービス（ＰＯＴＳ：Ｐｌａｉｎ  Ｏｌｄ  Ｔｅｌｅｐｈｏｎｅ  Ｓｅｒｖｉｃｅ）加入者回路６の収容位置情報を収容しているＰＯＴＳ加入者データテーブル２と、ｘＤＳＬ加入者回路９の収容位置情報を収容するＤＳＬ加入者データテーブル３を有すると共に、それらの相関関係の変換を行う変換テーブル１００を持ち、ｘＤＳＬ加入者回路の回線試験時のｘＤＳＬ加入者回路とＰＯＴＳ加入者回路の収容位置変換を行い、交換機側での制御を支援している。更に、制御部１は、制御線１０８を介して交換スイッチ機能部１２の制御を行い、通話路の接続を制御する。
【００１４】
交換スイッチ機能部１２は、通話路制御線１０３を介してＰＯＴＳ加入者装置５のＰＯＴＳ加入者回路（ＬＣ）６の制御を制御部１の指示により実行し、また呼処理を行う。制御部１は制御線１０５を介して加入者線試験装置７を制御し、回線試験動作を行わせる。加入者回路６は、内部に制御部１の指示により動作する加入者線１０２を加入者線試験装置７に引き込む試験線１０４に接続する機能を有している。
【００１５】
加入者線１０２は、ｘＤＳＬ多重装置８内のｘＤＳＬ加入者回路９と接続する加入者線１０６とスプリッタ回路部（ＳＰＬ）１１で結合し、ｘＤＳＬ多重装置８とＰＯＴＳ加入者装置５とで共有する同一の加入者線（ライン）１０１を介してＡＤＳＬ加入者１３に接続されている。
【００１６】
また、ｘＤＳＬ加入者回路９を複数収容するｘＤＳＬ多重装置８は、データ網２０１とデータ線１０７で接続される。また、ｘＤＳＬ多重装置８は、その保守作業の指示を出すｘＤＳＬ系保守端末１０と接続され、各種保守動作の指示入力、結果出力の表示を支援する。
【００１７】
制御部１、保守端末４、交換スイッチ機能部１２、ＰＯＴＳ加入者装置５、加入者線試験装置７は交換機Ａを構成している。また、加入者線１０１を介して入力される信号は、スプリッタ回路部１１で音声帯域とそれ以上の高周波数帯域とに分離され、音声帯域の信号（電話信号）は加入者線１０２へ送出し、高周波数帯域のデータ信号は加入者線１０６へ伝送する。また、逆にスプリッタ回路部１１は加入者線１０２を経て入力された音声帯域の電話信号と、加入者線１０６を介して入力された高周波数帯域のデータ信号とを多重して加入者線１０１へ送出する。
【００１８】
なお、図１では図示の便宜上、ＰＯＴＳ加入者装置５には一つのＰＯＴＳ加入者回路６のみ図示しており、またｘＤＳＬ多重装置８内にもｘＤＳＬ加入者回路９が一つのみ図示してあるが、後述の図４に示すように、実際には複数回路ずつ有しており、その中の各一回路だけが加入者線１０２，１０６等に接続されている。前記の変換テーブル１００は、ＰＯＴＳ加入者データテーブル２が示す、ＰＯＴＳ加入者回路６のうち加入者線１０２、通話路制御線１０３及び試験線１０４に接続されている一つのＰＯＴＳ加入者回路６を示す収容位置情報と、このとき加入者線１０６、データ線１０７に接続されるようになっている一つのｘＤＳＬ加入者回路９の収容位置情報をＤＳＬ加入者データテーブル３において示すような変換を行う。
【００１９】
次に、図１の実施の形態の試験時の動作について、図２のフローチャートと共に説明する。交換機Ａの保守端末４が、ｘＤＳＬ加入者回路９の収容位置を指定して回線試験の実施を指示すると（ステップＳ１）、制御部１は、内部のＤＳＬ加入者データテーブル３で上記の指示された収容位置情報を抽出して変換テーブル１００を通してＰＯＴＳ加入者データテーブル２に入力し、このＰＯＴＳ加入者データテーブル２により、上記の保守端末４にて指定したｘＤＳＬ加入者回路９と相関する（つまり、ｘＤＳＬ加入者回路９と共に、加入者線１０１に接続されるべき）加入者回路６の収容位置情報を抽出させる（ステップＳ２）。
【００２０】
続いて、制御部１はこのＰＯＴＳ加入者データテーブル２で抽出されたＰＯＴＳ加入者回路６の収容位置情報を基に、制御線１０８、交換スイッチ機能部１２、通話路制御線１０３をそれぞれ介して被対象加入者回路を収容するＰＯＴＳ加入者装置５内のＰＯＴＳ加入者回路６に回線閉塞や、加入者線１０２を試験装置７に引き込むために試験線１０４との接続を指示し（ステップＳ３）、制御線１０５を介して試験装置７を制御して回線試験を実行させる（ステップＳ４）。
【００２１】
試験装置７で行った回線試験の結果は、制御線１０５を介して制御部１に渡され、ここで編集された後、ＰＯＴＳ加入者データテーブル２により収容位置情報が電流値や抵抗値を計測することによる試験情報と共に抽出され、変換テーブル１００を通してＤＳＬ加入者データテーブル３に入力され、ここで試験を実行したＰＯＴＳ加入者回路６と相関するｘＤＳＬ加入者回路９の収容位置情報が試験情報と共に抽出される（ステップＳ５）。
【００２２】
抽出されたｘＤＳＬ加入者回路９の収容位置情報と試験情報は、保守端末４に試験結果として入力される（ステップＳ６）。これにより、ｘＤＳＬ系保守端末１０を一切使用することなく、ＰＯＴＳ加入者回路６とｘＤＳＬ加入者回路９とで共有する加入者線１０１及び加入者線１０２の回線試験を実現できる。
【００２３】
このように、この実施の形態では、交換機Ａ側の保守端末４にｘＤＳＬ加入者回路９の収容位置を指定して回線試験の実行を指示すると、ｘＤＳＬ加入者回路９と同一加入者線１０１で接続されている相関するＰＯＴＳ加入者回路６から交換機Ａ側の加入者試験装置７を使用して試験を実行し、その試験結果を保守端末４上ではｘＤＳＬ加入者回路９の試験結果として表示し、交換機Ａ側からのｘＤＳＬ加入者試験を実現する。
【００２４】
すなわち、この実施の形態によれば、ＰＯＴＳ側交換設備の制御部１に試験を実行したＰＯＴＳ加入者回路の収容位置情報と相関のあるｘＤＳＬ加入者回路９の収容位置情報を保守端末４へ出力するようにしているので、ＰＯＴＳ側交換設備の加入者試験装置７のみでｘＤＳＬ加入者回路９の加入者線試験ができる。
【００２５】
また、この実施の形態では、ＰＯＴＳ側交換設備の制御部１が試験を実行したＰＯＴＳ加入者回路の収容位置情報と、ｘＤＳＬ加入者回路９の収容位置情報の両方を有しているため、ＰＯＴＳ側交換設備の保守端末４だけで加入者線試験ができる。
【００２６】
次に、本発明の第２の実施の形態について説明する。図３は本発明になる回線試験方法及び回線試験システムの第２の実施の形態のシステム構成図を示す。同図中、図１と同一構成部分には同一符号を付し、その説明を省略する。図３において、制御部１５、交換スイッチ機能部１２、保守端末４、ＰＯＴＳ加入者装置５及び加入者線試験装置７は交換機Ｂを構成している。ここで、このシステムでは、図４に示すように、ＰＯＴＳ加入者装置５内の複数のＰＯＴＳ加入者回路６のＬＣ番号と、ｘＤＳＬ多重装置８内の複数のｘＤＳＬ加入者回路９のｘＤＳＬ番号とが、装置内で同じｉ番目の収容位置とする相対的な関係の収容条件を持つ構成である。このため、制御部１５は、図１の制御部１とは異なり、ＰＯＴＳ加入者データとｘＤＳＬ加入者データの変換テーブルを仮想テーブル１６として有する構成とされている。
【００２７】
次に、この実施の形態の試験動作について図５のフローチャートを併せ参照して説明する。交換機Ｂの保守端末４が、ｘＤＳＬ加入者回路９のｉ番目の収容位置を指定して回線試験の実施を指示すると（ステップＳ１１）、制御部１５は、内部の仮想変換テーブル１６により収容位置相関変換をする（ステップＳ１２）。すなわち、制御部１５は、上記の保守端末４にてｉ番目のｘＤＳＬ加入者回路９が指定されると（ステップＳ１２１）、このｉ番目のｘＤＳＬ加入者回路９と共に、加入者線１０１に接続されるべき（相関する）ｉ番目の加入者回路６の収容位置情報に変換する（ステップＳ１２２）。
【００２８】
続いて、制御部１５はこの仮想テーブル１６で変換されたｉ番目のＰＯＴＳ加入者回路６の収容位置情報を出力する（ステップＳ１３）。制御部１５はこのＰＯＴＳ加入者回路６のｉ番目の収容情報を基に、制御線１０８、交換スイッチ機能部１２、通話路制御線１０３をそれぞれ介して被対象加入者回路を収容するＰＯＴＳ加入者装置５内のｉ番目のＰＯＴＳ加入者回路６に回線閉塞や、加入者線１０２を試験装置７に引き込むために試験線１０４との接続を指示し、制御線１０５を介して試験装置７を制御して回線試験を実行させる。
【００２９】
試験装置７で行った回線試験の結果は、制御線１０５を介して制御部１５に渡され、ここで編集された後、仮想テーブル１６により試験を実行したｉ番目のＰＯＴＳ加入者回路６と相関するｉ番目のｘＤＳＬ加入者回路９の収容位置情報が試験情報と共に抽出される。抽出されたｘＤＳＬ加入者回路９の収容位置情報と試験情報は、保守端末４に試験結果として入力される。これにより、ｘＤＳＬ系保守端末１０を一切使用することなく、ＰＯＴＳ加入者回路６とｘＤＳＬ加入者回路９とで共有する加入者線１０１及び加入者線１０２の回線試験を実現できる。この実施の形態では、制御部１５のＰＯＴＳ加入者データとｘＳＤＬ加入者データの変換テーブルを簡素化して小さくできるという新たな効果を有する。
【００３０】
【発明の効果】
以上説明したように、本発明によれば、ＰＯＴＳ側の交換機にＰＯＴＳ加入者回路の収容位置情報とｘＳＤＬ加入者回路の収容位置情報との変換テーブルを有し、交換機内の保守端末でｘＳＤＬ加入者回路の収容位置情報を指定することにより、この指定ｘＳＤＬ加入者回路に相関する一のＰＯＴＳ加入者回路の収容位置情報を取得して交換機側の試験装置で回線試験ができるようにしたため、従来必要であったｘＤＳＬ多重装置での試験装置を不要にでき、従来に比べて経済性を向上できる。
【００３１】
また、本発明によれば、交換機内の制御部が、ｘＤＳＬ加入者回路とＰＯＴＳ加入者回路との収容位置変換を行う変換テーブルを備えることにより、交換機内の保守端末だけで加入者線試験ができるため、加入者線試験実行時の保守者の作業を従来に比べて軽減できる。
【図面の簡単な説明】
【図１】本発明の第１の実施の形態のシステム構成図である。
【図２】図１の試験動作説明用フローチャートである。
【図３】本発明の第２の実施の形態のシステム構成図である。
【図４】図３のＰＯＴＳ加入者装置とｘＤＳＬ多重装置との接続説明図である。
【図５】図３の試験動作説明用フローチャートである。
【符号の説明】
１、１５  制御部
２  ＰＯＴＳ加入者データテーブル
３  ＤＳＬ加入者データテーブル
４  保守端末
５  ＰＯＴＳ加入者装置
６  ＰＯＴＳ加入者回路
７  加入者線試験装置
８  ｘＤＳＬ多重装置
９  ｘＤＳＬ加入者回路
１０  ｘＤＳＬ系保守端末
１１  スプリッタ回路部（ＳＰＬ）
１２  交換スイッチ機能部
１６  仮想変換テーブル
１００  ＰＯＴＳ加入者−ｘＤＳＬ加入者交換テーブル
１０１、１０２、１０６  加入者線
１０３  通話路制御線
１０４  試験線
１０５  制御線
１０７  データ線
１０８  制御線
２０１  データ網
Ａ、Ｂ  交換機
【図１】
0003576933.tif 000002
【図２】
0003576933.tif 000003
【図３】
0003576933.tif 000004
【図４】
0003576933.tif 000005
【図５】
0003576933.tif 000006